(57)【要約】【課題】臭気レベルが異なるトイレに良好に対処して脱臭効果を表示することができるトイレ装置を提供する。【解決手段】トイレ装置は、臭気に関する物理量を検知する臭気検知手段と、脱臭処理を行う脱臭手段と、臭気検知手段で検知した臭気濃度に対応する臭気レベルを表示する臭気濃度レベル表示手段と、制御手段とを備える。制御手段は、臭気検知手段が設置されている実際の臭気濃度に応じた基準物理量ＡＣを設定する基準物理量設定手段と、臭気検知手段で監視した臭気濃度に関する現在の物理量が、基準物理量設定手段に設定されている基準物理量に対して変化するとき、脱臭手段による脱臭処理を促進させる脱臭処理手段と、基準物理量ＡＣに基づいた臭気濃度のレベルを表示させる信号を臭気濃度レベル表示手段に出力する出力手段とを具備する。【選択図】図１
2006152622.tif 000002
【特許請求の範囲】
【請求項１】
トイレまたは便器における臭気に関する物理量を検知する臭気検知手段と、
トイレまたは便器に対して脱臭処理を行う脱臭手段と、
前記臭気検知手段で検知した臭気濃度の高低に対応する臭気レベルを表示する臭気濃度レベル表示手段と、
前記脱臭手段及び前記臭気レベル表示手段を制御する制御手段とを具備するトイレ装置において、
前記制御手段は、
前記臭気検知手段が設置されているトイレまたは便器の排泄前の臭気濃度に応じた基準物理量ＡＣを設定する基準物理量設定手段と、
前記臭気検知手段で監視したトイレまたは便器の臭気濃度に関する現在の物理量が、前記基準物理量設定手段に設定されている基準物理量ＡＣに対して第１所定値以上変化するとき、前記脱臭手段による脱臭処理を促進させる脱臭処理手段と、
前記臭気検知手段で検知したトイレまたは便器における臭気濃度のレベルを、基準物理量ＡＣを基準として表示させる信号を前記臭気濃度レベル表示手段に出力する出力手段とを具備することを特徴とするトイレ装置。
【請求項２】
請求項１において、排泄時において臭気濃度に関する物理量が最大値Ｖｍａｘを示すとき、
前記臭気レベル表示手段は、最大値Ｖｍａｘよりも物理量βぶん基準物理量ＡＣ側の物理量ＡＢと基準物理量ＡＣとの間を均等または不均等に分割した分割領域における臭気濃度のレベルを表示することを特徴とするトイレ装置。
【請求項３】
請求項２において、前記分割領域は複数設けられており、少なくとも一つの分割領域についての物理量の幅は、他の分割領域についての物理量の幅よりも狭く設定されていることを特徴とするトイレ装置。
【請求項４】
請求項１〜３のうちのいずれか一項において、基準物理量ＡＣよりも臭気濃度レベルが高い側に物理量αの幅をもつ領域では、前記臭気濃度レベル表示手段は臭気濃度レベルを表示しないことを特徴とするトイレ装置。
【請求項５】
請求項１〜４のうちのいずれか一項において、前記制御手段は、非排泄時において前記臭気検知手段で監視している実際の臭気濃度に応じた物理量が経時的に変動するとき、変動した物理量を基準物理量ＡＣとして前記基準物理量設定手段に設定し、基準物理量ＡＣを更新する基準物理量更新手段とを具備していることを特徴とするトイレ装置。
【請求項６】
請求項１〜５のうちのいずれか一項において、前記臭気検知手段は、電源投入後に第２設定時間Ｔ２経過したときに、トイレまたは便器における臭気に関する物理量の検出を開始することを特徴とするトイレ装置。
【請求項７】
請求項１〜６のうちのいずれかにおいて、前記制御手段は、前記脱臭手段による前記脱臭処理を促進させた後において脱臭終了を判定する脱臭終了判定手段を具備しており、
前記脱臭終了判定手段は、
前記臭気検知手段が監視するトイレまたは便器における臭気に関する現在の物理量が、前記脱臭処理を促進させる前の基準物理量ＡＣに対して第３所定値Ａ３以上離間しているとき、脱臭終了と判定せず、前記脱臭手段による脱臭処理の促進を継続させ、且つ、
前記脱臭処理を促進させる前の基準物理量ＡＣに対して第３所定値Ａ３よりも下方となり、且つ、第３所定値Ａ３よりも下方において第３設定時間Ｔ３以上安定しているとき、脱臭終了と判定し、前記脱臭手段による前記脱臭処理の促進を中止することを特徴とするトイレ装置。
【請求項８】
請求項１〜７のうちのいずれか一項において、前記基準物理量更新手段は、前記臭気検知手段で監視している経時的に変化する物理量の変動量が第４設定時間Ｔ４に対して第４所定値Ａ４未満のとき更新しないことを特徴とするトイレ装置。
【請求項９】
請求項１〜８のうちのいずれか一項において、前記基準物理量更新手段は、前記臭気検知手段で監視している物理量が増加方向に第５所定値Ａ５以上変動し、その後、物理量が第５設定時間Ｔ５以上安定するとき、その物理量を基準物理量ＡＣとして前記基準物理量設定手段に設定して基準物理量ＡＣを更新し、且つ、
前記臭気検知手段で監視している物理量が減少方向に第６所定値Ａ６以上変動し、その後、物理量が第６設定時間Ｔ６以上安定するとき、その物理量を基準物理量として前記基準物理量設定手段に設定して基準物理量ＡＣを更新することを特徴とするトイレ装置。
【請求項１０】
請求項９において、第５設定時間Ｔ５は第６設定時間Ｔ６よりも長く設定されている（Ｔ５＞Ｔ６）ことを特徴とするトイレ装置。
【請求項１１】
請求項１〜１０のうちのいずれか一項において、前記脱臭処理が終了したとき、前記基準物理量更新手段は、前記臭気検知手段で監視している物理量が、脱臭処理の直前の基準物理量ＡＣよりも増加しており、且つ、第７設定時間Ｔ７以上安定したとき、その安定した物理量を基準物理量ＡＣとして前記基準物理量設定手段に設定して基準物理量ＡＣを更新することを特徴とするトイレ装置。
【請求項１２】
請求項１〜１１のうちのいずれか一項において、脱臭処理が終了したとき、前記基準物理量更新手段は、前記臭気検知手段で監視している物理量が、脱臭処理の直前の基準物理量ＡＣよりも減少し、且つ、第８設定時間Ｔ８安定したとき、その安定した物理量を基準物理量ＡＣとして前記基準物理量設定手段に設定して基準物理量ＡＣを更新することを特徴とするトイレ装置。
【請求項１３】
請求項１２において、第７設定時間Ｔ７は第８設定時間Ｔ８よりも長く設定されていることを特徴とするトイレ装置。
【請求項１４】
請求項１〜１３のうちのいずれか一項において、前記制御手段は、前記臭気検知手段を回復させる回復処理を定期的にまたは不定期的に行うことを特徴とするトイレ装置。
【発明の詳細な説明】
【技術分野】
【０００１】
本発明は脱臭機能を有するトイレ装置に関する。
【背景技術】
【０００２】
従来、便所内の臭気を検知する臭気センサと、臭気を含む空気を吸引して脱臭工程を行うファンと、臭気センサによって検知された臭気濃度によってファンを作動または停止させる制御部とを備える便所装置が開示されている（特許文献１）。そして、排泄時に発生する臭気の濃度を臭気センサによって検知し、この臭気の濃度が臨界値を超えると、ファンによって送風することにしている。このため、臭気の発生の程度に応じた臭気の除去放出が可能となる。また、臭気の強弱によってファンの作動時間が変化するので、ファンの無駄な作動が抑制される。更に、このものによれば、臭気濃度が臨界値を越えたとき、表示装置はその旨を表示する。
【０００３】
更に従来技術として、臭気センサにより検知した便器付近の臭気レベルをランク別に表示するようにした技術も知られている（特許文献２）。
【特許文献１】特開平１−２９５９３２号公報
【特許文献２】特開平２００２−２７５９８９号公報
【発明の開示】
【発明が解決しようとする課題】
【０００４】
上記したトイレ装置によれば、臭気濃度のレベルをランク毎に表示することができる。しかしながら臭気レベルの基準が異なるトイレに充分に対処できるものではない。例えば、清掃が充分に行われているトイレと、清掃が充分に行われていないトイレとでは、排泄前における臭気レベルの基準が異なることになり、その基準を画一的に決定すると、臭気濃度のレベル表示の精度には限界がある。
【０００５】
本発明は上記した実情に鑑みてなされたものであり、臭気レベルが異なるトイレに良好に対処して、トイレまたは便器に対する脱臭効果を表示することができるトイレ装置を提供することを課題とする。
【課題を解決するための手段】
【０００６】
本発明に係るトイレ装置は、トイレまたは便器における臭気に関する物理量を検知する臭気検知手段と、トイレまたは便器に対して脱臭処理を行う脱臭手段と、臭気検知手段で検知した臭気濃度の高低に対応する臭気レベルを表示する臭気濃度レベル表示手段と、脱臭手段及び前記臭気レベル表示手段を制御する制御手段とを具備するトイレ装置において、
制御手段は、
臭気検知手段が設置されているトイレまたは便器の排泄前の臭気濃度に応じた基準物理量ＡＣを設定する基準物理量設定手段と、臭気検知手段で監視したトイレまたは便器の臭気濃度に関する現在の物理量が、基準物理量設定手段に設定されている基準物理量ＡＣに対して第１所定値以上変化するとき、脱臭手段による脱臭処理を促進させる脱臭処理手段と、臭気検知手段で検知したトイレまたは便器における臭気濃度のレベルを、基準物理量ＡＣを基準として表示させる信号を前記臭気濃度レベル表示手段に出力する出力手段とを具備することを特徴とするものである。
【０００７】
本発明に係るトイレ装置によれば、トイレまたは便器の臭気に関する物理量が臭気検知手段によって検知される。現在の物理量が、基準物理量設定手段に設定されている基準物理量ＡＣに対して第１所定値Ａ１以上変化するとき、臭気濃度の変化速度が高いため、臭気有りと考えられる。そこで、脱臭処理手段は、脱臭手段による脱臭処理を促進させる。脱臭処理を促進させるとは、脱臭処理を実行していなかった状態から脱臭処理を開始する形態、あるいは、脱臭処理の弱モードから、弱モードよりも脱臭能力が相対的に高いモードにする形態を含む。
【０００８】
ところで、トイレまたは便器毎に便器不使用時（一般的には非排泄時）における臭気濃度が異なることがある。例えば、トイレまたは便器の清掃状況等によって、トイレまたは便器毎に便器不使用時（一般的には非排泄時）における臭気濃度が異なることがある。この場合、トイレまたは便器の便器不使用時（一般的には非排泄時）における実際の臭気濃度に応じた基準物理量ＡＣを、トイレまたは便器毎に個別に設定することが好ましい。
【０００９】
そこで、基準物理量設定手段には、臭気検知手段が設置されているトイレまたは便器について、便器不使用時（一般的には非排泄時）の実際の臭気濃度に応じた基準物理量ＡＣがトイレまたは便器毎に個別に設定されている。かかる基準物理量ＡＣに基づいた臭気濃度のレベルを表示させる信号を、出力手段は臭気濃度レベル表示手段に出力する。このため臭気レベルが異なるトイレ又は便器に対処することができる。便器は排泄物を受ける容器の意味であり、陶器製、樹脂製、金属製でも良く、ポータブルトイレ、携帯トイレも含む。
【発明の効果】
【００１０】
本発明に係るトイレ装置によれば、基準物理量設定手段には、臭気検知手段が設置されているトイレまたは便器における実際の臭気濃度に応じた基準物理量ＡＣ（非排泄時における基準物理量）がトイレまたは便器毎に個別に設定されている。そして、かかる基準物理量ＡＣに基づいた臭気濃度のレベルを表示させる信号を、出力手段は臭気濃度レベル表示手段に出力する。このため臭気レベルが異なるトイレまたは便器に対処することができる。
【発明を実施するための最良の形態】
【００１１】
臭気検知手段が検出する物理量の最大値Ｖｍａｘは、臭気検知手段毎に変動するおそれがある。物理量の最大値Ｖｍａｘ付近についても臭気レベル表示手段で臭気濃度のレベルを表示すると、最大値Ｖｍａｘ付近の臭気濃度がばらついたまま表示することになり、好ましいものではない。更に、制御手段が最大値Ｖｍａｘを用いて演算する場合、物理量の最大値Ｖｍａｘ付近がばらつくことは好ましくない。そこで本発明に係るトイレ装置によれば、排泄時において臭気濃度に関する物理量が最大値Ｖｍａｘを示すとき、臭気レベル表示手段は、最大値Ｖｍａｘよりも物理量βぶん基準物理量ＡＣ側の物理量ＡＢを設定し、物理量ＡＢと基準物理量ＡＣとの間を均等または不均等に分割した分割領域における臭気濃度のレベルを表示する形態を採用することができる。
【００１２】
ここで、前述した分割領域は複数設けられており、少なくとも一つの分割領域についての物理量（例えば出力電圧）の幅は、他の分割領域についての物理量（例えば出力電圧）の幅よりも狭く設定されている形態を採用することができる。この場合、臭気検知手段で監視している物理量の変動が、狭く設定されている領域を通過するとき、短時間に通過するため、臭気レベル表示手段の表示変化速度を速くでき、ユーザーに対して脱臭効果を視認させ易くすることができる。これは、人の臭覚は時間経過後に次第に慣れるため、人が臭気を感じる刺激と実際の臭気濃度とは必ずしも比例しないことを前提とする。
【００１３】
臭気発生後に脱臭処理を行った場合、脱臭処理に伴い臭気濃度が次第に低下するが、脱臭処理を開始する前の基準物理量ＡＣよりも臭気濃度レベルが低下しないことがある。しかしながら、前述したように人の臭覚は時間経過に伴い臭気に次第に慣れる傾向があり、基準物理量ＡＣに近い領域であれば、物理量が基準物理量ＡＣ以下にはならない場合であっても、臭気無しと取り扱っても実質的に不都合はない。そこで脱臭処理を開始する前の基準物理量ＡＣ付近の領域、即ち、脱臭処理を開始する前の基準物理量ＡＣよりも臭気濃度レベルが高い側に物理量αの幅を有する領域（物理量ＡＢ未満となる）では、臭気濃度レベル表示手段は臭気濃度レベルを表示しない形態を採用することができる。
【００１４】
ところで、トイレ不使用時（一般的には非排泄時）において臭気検知手段で監視している物理量が、温度、湿度、水蒸気、トイレに設置される芳香剤、洗剤その他の化学物質等といった外乱の影響を受けて経時的に変動することがある。そこで制御手段は、トイレ不使用時において臭気検知手段で監視している実際の臭気濃度に応じた物理量が経時的に変動するとき、変動した物理量を基準物理量ＡＣとして基準物理量設定手段に設定し、基準物理量ＡＣを更新する基準物理量更新手段を具備している実施形態を採用することができる。このようにトイレ不使用時において臭気検知手段で監視している物理量が経時的に変動するときであっても、脱臭処理の基準及び臭気濃度レベル表示の基準となり得る基準物理量ＡＣを更新するため、外乱の影響が軽減または回避される。このように臭気検知手段に対する、温度、湿度、水蒸気、トイレに設置される芳香剤、洗剤その他の化学物質等といった外乱の影響を抑制でき、臭気検知手段の検知精度を高めるのに有利となる。
【００１５】
臭気検知手段は、トイレまたは便器における臭気に関する物理量を監視するものであり、臭気センサを例示できる。臭気センサとしては、臭気の要因となる成分が吸着すると、電気抵抗等の電気的特性が変化するものを例示できる。脱臭手段は、トイレまたは便器に対して脱臭処理を行うものであり、トイレ内または便器内の臭気をトイレ外に排出する方式、トイレ内または便器内の空気を脱臭材に透過させて吸着させる方式、芳香剤をトイレ内または便器内に供給する方式を例示できる。
【００１６】
また、電源投入後において臭気検知手段の検出精度が安定しないことがある。そこで好ましい形態によれば、臭気検知手段は、電源投入後に第２設定時間Ｔ２経過したときに、トイレまたは便器における臭気に関する物理量の検出を開始する。
【００１７】
また、脱臭処理を促進させた後において、脱臭処理を終了すべく、脱臭終了を判定する必要がある。そこで好ましい形態によれば、制御手段は、脱臭手段による脱臭処理を促進させた後において脱臭終了を判定する脱臭終了判定手段を具備していることが好ましい。脱臭終了判定手段は、臭気検知手段が監視するトイレまたは便器における臭気に関する現在の物理量が、脱臭処理を促進させる前の基準物理量ＡＣに対して第３所定値Ａ３以上離間しているとき、臭気濃度が残っており、脱臭終了と判定せず、脱臭手段による脱臭処理の促進を継続させることができ、且つ、脱臭処理を促進させる前の基準物理量ＡＣに対して第３所定値Ａ３よりも下方となり、且つ、第３所定値Ａ３よりも下方において第３設定時間Ｔ３以上安定しているとき、臭気成分無しとみなして脱臭処理終了と判定し、脱臭手段による脱臭処理を元に戻す。
【００１８】
更にまた、臭気検知手段で監視している物理量が前記した外乱の影響を受けて、経時的に変化することがある。この場合、臭気検知手段による検出精度が低下する。そこで好ましい形態によれば、基準物理量更新手段は、臭気検知手段で監視している経時的に変化する物理量の変動量が第４設定時間Ｔ４に対して第４所定値Ａ４未満のとき、基準物理量の変動がないとして取り扱い、基準物理量を更新しない。なお第３所定値Ａ３、第４所定値Ａ４、第５所定値Ａ５、第６所定値Ａ６は、一般的には、第１所定値Ａ１よりも小さい（Ａ４＜Ａ１）。
【００１９】
前記したように臭気検知手段で監視している物理量が、前記した外乱の影響を受けて、経時的に変化することがある。この場合、臭気検知手段による検出精度が低下する。そこで好ましい形態によれば、基準物理量更新手段は、臭気検知手段で監視している物理量が増加方向に第５所定値Ａ５以上変動し、その後、物理量が第５設定時間Ｔ５以上安定するとき、その物理量を基準物理量ＡＣとして基準物理量設定手段に設定して基準物理量ＡＣを更新し、且つ、臭気検知手段で監視している物理量が減少方向に第６所定値Ａ６以上変動し、その後、物理量が第６設定時間Ｔ６以上安定するとき、その物理量を基準物理量ＡＣとして基準物理量設定手段に設定して基準物理量ＡＣを更新する。ここで、第５設定時間Ｔ５としては第６設定時間Ｔ６よりも長く設定することができる（Ｔ５＞Ｔ６）。なお第５所定値Ａ５は、例えば、第４所定値Ａ４と同じ値または近似した値とすることができる。第６所定値Ａ６は、例えば、第４所定値Ａ４と同じ値または近似した値とすることができる。
【００２０】
脱臭処理が終了したとき、基準物理量更新手段は、臭気検知手段で監視している物理量が脱臭処理の直前の基準物理量ＡＣよりも増加しているものの、第７設定時間Ｔ７以上安定したとき、その安定した物理量を基準物理量ＡＣとして基準物理量設定手段に設定して基準物理量ＡＣを更新する形態を採用することができる。
【００２１】
脱臭処理が終了したとき、臭気検知手段で監視している物理量が次第に安定する。そこで好ましい形態によれば、脱臭処理が終了したとき、基準物理量更新手段は、臭気検知手段で監視している物理量が、脱臭処理の直前の基準物理量ＡＣよりも減少し、且つ、第８設定時間Ｔ８安定したとき、その安定した物理量を基準物理量ＡＣとして基準物理量設定手段に設定して基準物理量ＡＣを更新する。
【００２２】
また、臭気検知手段は長い間使用されると、経時的に劣化し、出力電圧が変動するおそれがある。このため制御手段は、臭気検知手段を回復させる回復処理を定期的にまたは不定期的に行うことが好ましい。回復処理は、排泄による臭気が不存在である状態で、空気を強制的に臭気検知手段に供給する形態を例示することができる。なお、第１設定時間Ｔ１、第１所定値Ａ１等におけるＴ１、Ａ１等は各設定時間、各所定値を区別するためのものであり、その絶対量としては同一値であっても、異なる値であっても良い。
【実施例１】
【００２３】
以下、本発明の一実施例について図１〜図１０を参照して説明する。本実施例に係るトイレ装置は便器１に搭載される人体局部洗浄装置２に適用されている。人体局部洗浄装置２は、便器１の後部に搭載される基部２０と、基部２０に上下回動可能に設けられた便座２２と、基部２０に上下回動可能に設けられた便蓋２４と、基部２０に設けられたお尻洗浄用のノズル３０と、基部２０に設けられたビデ洗浄用のノズル３２とを備えている。更に、図２に示すように、人体局部洗浄装置２は、基部２０内に配置され便器１における臭気に関する物理量を検知して監視する臭気検知手段としての臭気センサ４と、基部２０内に配置されトイレまたは便器１に対して脱臭処理を行う脱臭手段５とを備えている。臭気センサ４は、臭気センサ４が設置されているトイレまたは便器１において実際の臭気濃度に応じた基準物理量ＡＣ（一般的には電圧）を検知するものである。
【００２４】
図２に示すように、脱臭手段５は、空気が通る複数の通路５０ａを有するハニカム構造体で形成された脱臭機能を有する脱臭材５０と、トイレまたは便器１の空気を脱臭材５０に供給する空気搬送装置としてのファン５２とを備えている。人がトイレに入室すると同時に、制御装置６はこれを検知してファン５２をオンしてファン５２を所定の回転数Ｎ１で回転させ、弱モードで脱臭する。この場合、ファン５２の回転により便器１内の空気を脱臭材５０に供給し、臭気成分を脱臭材５０に吸着させる。基部２０内には、脱臭手段５を制御する制御手段としての制御装置６が配置されている。図３に示すように制御装置６は、臭気センサ４の出力電圧に関する信号をＡ／Ｄ変換器４ａを介して入力する入力処理回路６０と、マイコン６１と、基準物理量設定手段として機能するメモリ６２と、出力処理回路６３とを有する。出力処理回路６３は、ファン５２を駆動回路５２ａを介して制御すると共に、臭気濃度レベル表示手段７を点灯または消灯させる。臭気濃度レベル表示手段７は、駆動回路７０ａと、表示部として機能する５個のＬＥＤ７１〜７５とを備えている。ＬＥＤ７１〜７５の点灯数は臭気濃度の高さに対応する。従って全部のＬＥＤ７１〜７５が点灯するときには、臭気濃度が最も高い。ＬＥＤ７１〜７５のうち一つも点灯しないときには、臭気濃度は最も低く、臭気は基本的に存在しないと取り扱われる。
【００２５】
図４は脱臭処理を行う場合のグラフを示す。図４の縦軸は出力電圧を示し、横軸は時間を示す。排泄時には臭気濃度が増加していくため、臭気センサ４の現在の出力電圧Ｖが次第に増加していく。メモリ６２のエリアには、臭気センサ４が設置されているトイレまたは便器１において実際の臭気濃度に応じた基準物理量ＡＣ（基準電圧値)が格納されて設定されている。
【００２６】
ここで、メモリ６２のエリアに設定されている基準物理量ＡＣに対して、臭気センサ４の現在の出力電圧Ｖが第１設定時間Ｔ１（例えば１５秒）以内において第１所定値Ａ１（例えば１．５ボルト）以上上昇しているとき（図４参照）、制御装置６は臭気有りと判定する。そして、制御装置６はファン５２の回転数Ｎ１からＮ２（Ｎ１＜Ｎ２）に増加させる。これにより、脱臭材５０に供給する単位時間当たりの空気量を増加させて強モードの脱臭を行い、脱臭処理を促進させ、トイレ内または便器１内の臭気を除去する。
【００２７】
これに対して、メモリ６２に設定されている基準物理量ＡＣに対して臭気センサ４の出力電圧Ｖが第１設定時間Ｔ１（例えば１５秒）において第１所定値Ａ１（例えば１．５ボルト）以上、上昇しないときには、臭気濃度の増加速度が小さいため、制御装置６は臭気なしと判定し、ファン５２の回転数を増加せず、ファン５２の回転数Ｎ１を維持する。この場合、ファン５２は回転数Ｎ１で回転しているため、弱モードの脱臭は行われる。
【００２８】
上記したように脱臭処理を促進させたときには、図４に示すように、臭気濃度が次第に低下するため、臭気センサ４の現在の出力電圧Ｖが次第に低下する。臭気センサ４の現在の出力電圧Ｖが、脱臭処理を行う前の基準物理量ＡＣよりも高いものの、基準物理量ＡＣに対して、基準物理量ＡＣよりも高い方向に第３所定値Ａ３（例えば０．５ボルト）以内の領域、あるいは、基準物理量ＡＣ以下の領域に到達したときには、その後、臭気センサ４の現在の出力電圧Ｖが第３設定時間Ｔ３（例えば０．５秒）以上安定するという条件が満足されたとき、制御装置６は脱臭終了と判定する。脱臭終了であれば、制御装置６はファン５２の回転数をＮ２から元の回転数Ｎ１に戻す。これにより脱臭処理の促進を中止するが、ファン５２は回転数Ｎ１で回転しているため、弱モードの脱臭は行われる。
【００２９】
なお、脱臭処理後において臭気センサ４の出力電圧が基準物理量ＡＣに戻っていないものの、基準物理量ＡＣに対して、基準物理量ＡＣよりも高い方向に第３所定値Ａ３（０．５ボルト）以内の領域に到達したとき脱臭終了と判定するのは、臭気が発生した直後では人は臭覚は敏感であるが、時間経過につれて人の臭覚が次第に低下すること等を考慮しているものである。
【００３０】
なお、臭気濃度が次第に低下しているものの、臭気センサ４の現在の出力電圧Ｖが、脱臭処理を促進させる前の基準物理量ＡＣに対して第３所定値Ａ３以上上昇した値となっているときには、臭気がまだ残留しているため、制御装置６は脱臭終了と判定せず、ファン５２の回転数Ｎ２に維持し、強モードの脱臭を行い、脱臭手段５による脱臭処理の促進を継続させる。
【００３１】
次に、メモリ６２のエリアに設定されている基準物理量ＡＣの更新について説明を加える。トイレの不使用時において排泄時の臭気が特にないときには、本来的には、臭気センサ４の出力電圧Ｖが変動しないことが望ましい。しかしながら、温度、湿度、便器１からの前記した外乱の影響を受けて、臭気センサ４の出力電圧Ｖが経時的に上昇したり、低下したりすることがある。例えば、外乱の影響を受けて、臭気センサ４の出力電圧Ｖが上昇したときには、排泄時の臭気発生前の臭気センサ４の出力電圧Ｖと、排泄時の臭気発生後の臭気センサ４の出力電圧Ｖとの差が小さくなり、高い検知精度が得られにくく、脱臭処理の開始タイミングがずれるおそれがある。
【００３２】
図５は電源投入時から臭気センサ４の出力電圧の変動を表すグラフを示す。図５の縦軸は出力電圧を示し、横軸は時間を示す。図５において領域１００ａでは脱臭処理は行われていないが、領域１００ｂでは脱臭処理は行われている。電源投入時から第２設定時間Ｔ２（例えば５秒）内においては、臭気センサ４の出力電圧が安定しないため、臭気に関する物理量（臭気センサ４の出力電圧）の検出を行わない。第２設定時間Ｔ２が経過した後、臭気に関する物理量（即ち、臭気センサ４の出力電圧）の検出を開始する。この場合、臭気センサ４の現在の出力電圧を一定時間ＴＢ（例えば０．１秒）間隔毎に決定する。具体的には、臭気センサ４の出力電圧をＲ個（例えば１０個）サンプリングする。そして複数のサンプリング値の最小値及び最大値を除いた残りの数の平均値をとる。これをその時刻における臭気センサ４の現在の出力電圧Ｖとする。
【００３３】
まず、臭気センサ４の現在の出力電圧Ｖの初期値（第２設定時間Ｔ２の経過後の出力電圧）が基準物理量ＡＣとしてメモリ６２のエリアに設定される。そして、臭気センサ４による臭気の監視を継続する。メモリ６２に設定されている基準物理量ＡＣに対して、臭気センサ４の現在の出力電圧Ｖが第１設定時間Ｔ１（例えば１５秒）以内において第１所定値Ａ１（例えば１．５ボルト）以上、上昇しているとき、臭気濃度の上昇速度が速いため、制御装置６は臭気有りと判定する。この場合、前述したように、制御装置６はファン５２の回転数Ｎ１からＮ２（Ｎ１＜Ｎ２）に増加させ、脱臭材５０に供給する単位時間当たりの空気量を増加させて強モードの脱臭を行い、脱臭処理を促進させ、トイレ内または便器１内の臭気を除去する。
【００３４】
これに対して、メモリ６２に設定されている基準物理量ＡＣに対して臭気センサ４の出力電圧Ｖが、第１設定時間Ｔ１（例えば１５秒）において第１所定値Ａ１（例えば１．５ボルト）以上上昇しないときには、臭気濃度の上昇速度が低いため、制御装置６は臭気なしと判定し、ファン５２の回転数を増加せず、ファン５２の回転数Ｎ１を維持する。この場合、ファン５２は回転数Ｎ１で回転しているため、弱モードの脱臭は行われる。
【００３５】
なお、トイレの不使用時において、臭気センサ４の出力電圧Ｖの変動量が、メモリ６２のエリアに設定されている基準物理量ＡＣに対して、第４設定時間Ｔ４で第４所定値Ａ４（例えばプラス０．１ボルト）未満であるとき、出力電圧Ｖの変動幅が少ないため、制御装置６の基準物理量更新手段はこれを無視し、基準物理量ＡＣを更新しない。
【００３６】
臭気センサ４の出力電圧Ｖが前記した外乱の影響を受けて、メモリ６２のエリアに設定されている基準物理量ＡＣに対して第５所定値Ａ５（例えばプラス０．１ボルト）以上上昇するときには、その後、出力電圧Ｖが第５設定時間Ｔ５（例えば１５秒）以上安定するという条件が満たされたとき、制御装置６の基準物理量更新手段は、その安定した出力電圧Ｖ（第５設定時間Ｔ５経過後の出力電圧）を、新しい基準物理量ＡＣとしてメモリ６２のエリアに設定する。これによりメモリ６２に設定されている基準物理量ＡＣを更新する。本実施例では、臭気センサ４の出力電圧Ｖが安定するとは、各条件判定毎に設定されている設定時間において、メモリ６２のエリアに設定されている基準物理量ＡＣに対して変動が微小幅内に納まることを意味する。微小幅としては、臭気センサ４に応じて設定でき、例えばプラスマイナス０．１ボルトを採用できるが、これに限定されるものではなく、例えばプラスマイナス０．３ボルトを採用することもできる。
【００３７】
また、臭気センサ４の出力電圧Ｖが外乱の影響を受けて基準物理量ＡＣに対して第６所定値Ａ６（例えばプラス０．１ボルト）以上低下したときには、その後、出力電圧Ｖが第６設定時間Ｔ６（例えば０．５秒）以上安定するという条件が満たされたとき、制御装置６の基準物理量更新手段は、その安定した出力電圧Ｖを新しい基準物理量ＡＣとしてメモリ６２のエリアに設定する。これによりメモリ６２の基準物理量ＡＣを更新する。
【００３８】
臭気センサ４の性質上、臭気センサ４の出力電圧Ｖが増加するときには、一般的には、出力電圧Ｖが減少するときに比較して、出力電圧Ｖの変化速度が速いものである。このように臭気センサ４の出力電圧Ｖの変化速度が速いときには、基準物理量ＡＣを更新する目安となる設定時間が短いと、メモリ６２に設定される基準物理量ＡＣが過剰の頻度で更新されるおそれがある。このため臭気センサ４の出力電圧Ｖが増加するときには、出力電圧Ｖが安定したか否かの判定の際に、第５設定時間Ｔ５を第６設定時間Ｔ６よりも相対的に長くすることが好ましい。このため第５設定時間Ｔ５を第６設定時間Ｔ６よりも長く設定している（Ｔ５＞Ｔ６）。
【００３９】
ところで、排泄により臭気が発生したときには臭気濃度が高くなるため、臭気センサ４の出力電圧Ｖが増加するが、脱臭処理が行われたときには、その後、臭気センサ４の出力電圧Ｖが次第に低下することになる。この場合、脱臭処理が終了したときには、図５の特性線Ｗ１に示すように、臭気センサ４の出力電圧Ｖが脱臭処理直前の基準物理量ＡＣよりも増加している場合がある。このように臭気センサ４の出力電圧Ｖが脱臭処理直前の基準物理量ＡＣよりも増加している場合、第７設定時間Ｔ７（例えば１５秒）以上安定したとき、制御装置６の基準物理量更新手段は、その安定した物理量（第７設定時間Ｔ７経過後の出力電圧）を基準物理量ＡＣとしてメモリ６２のエリアに設定して基準物理量ＡＣを更新する。
【００４０】
また、脱臭処理が終了したときには、図５の特性線Ｗ２に示すように臭気センサ４の出力電圧Ｖが次第に安定する。そこで脱臭処理が終了したとき、特性線Ｗ２に示すように、臭気センサ４の出力電圧Ｖが脱臭処理直前の基準物理量ＡＣよりも低下することがある。このように臭気センサ４の出力電圧Ｖが脱臭処理直前の基準物理量ＡＣよりも低下するときには、出力電圧Ｖが第８設定時間Ｔ８（例えば０．５秒）安定したとき、制御装置６の基準物理量更新手段は、その安定した出力電圧Ｖ（第８設定時間Ｔ８経過後の出力電圧）を基準物理量ＡＣとしてメモリ６２のエリアに設定して基準物理量ＡＣを更新する。
【００４１】
ここで、第７設定時間Ｔ７が第８設定時間Ｔ８よりも長く設定されているのは（Ｔ８＜Ｔ７）、次の事情（１）（２）を考慮しているためである。
（１）脱臭処理が終了の際に、臭気センサ４の出力電圧Ｖが脱臭処理直前の基準物理量ＡＣよりも低下しているときには、臭気が充分に除去されて臭気濃度が低いと考えられる。このため、メモリ６２のエリアに設定されている基準物理量ＡＣの更新を早期に行うことが好ましい。そこで、第８設定時間Ｔ８を第７設定時間Ｔ７よりも相対的に短くすることが好ましい。
（２）脱臭処理が終了しているものの、臭気センサ４の出力電圧Ｖが脱臭処理直前の基準物理量ＡＣよりも増加しているとき、臭気が僅かに残留しているおそれがある。このため、第８設定時間Ｔ８を第７設定時間Ｔ７よりも長く設定し、臭気センサ４の出力電圧Ｖを長時間にわたり安定させることを確認することが好ましい。
【００４２】
さて、図１１は、トイレ使用時つまり排泄時における臭気センサ４の出力電圧Ｖの変動の一形態を模式的に示す。この場合、図１１の縦軸は臭気センサ４の出力電圧Ｖを示し、横軸は時間を示す。図１１に示すように、排泄により臭気が発生すると、臭気センサ４の出力電圧Ｖは急激に立ち上がる。また脱臭処理が進行するにつれて、臭気センサ４の出力電圧Ｖは次第に低下するため、臭気センサ４の出力電圧Ｖは最高値Ｖｍａｘを示す。
【００４３】
図１１において、分割領域Ｒ５はＬＥＤ７１〜７５のうち５個点灯する領域であり、臭気濃度が高いことを示す５レベルであることを意味し、電圧幅βを有する。分割領域Ｒ４はＬＥＤ７１〜７５のうち４個点灯する領域であり、臭気濃度が４レベルであることを意味する。分割領域Ｒ３はＬＥＤ７１〜７５のうち３個点灯する領域であり、臭気濃度が３レベルであることを意味する。分割領域Ｒ２はＬＥＤ７１〜７５のうち２個点灯する領域であり、臭気濃度が２レベルであることを意味する。分割領域Ｒ１はＬＥＤ７１〜７５のうち１個点灯する領域であり、臭気濃度が低いことを示す１レベルであることを意味する。分割領域Ｒ０はＬＥＤ７１〜７５のうち一つも点灯していない領域であり、臭気を無視できる０レベルであることを意味し、電圧幅αを有する。分割領域Ｒ１〜Ｒ４は均等分割されているが、場合によっては不均等分割することにしても良い。
【００４４】
ここで、臭気センサ４が検出する物理量である出力電圧Ｖの最大値Ｖｍａｘは、臭気センサ４毎に、また検知日によっても、設置場所によっても変動するおそれがある。この場合、出力電圧Ｖの最大値Ｖｍａｘ付近についても臭気レベル表示手段７で臭気濃度のレベルを表示すると、最大値Ｖｍａｘ付近の臭気濃度がばらついたまま表示することになり、好ましいものではない。更に、制御装置６のマイコン６１が演算する場合、出力電圧Ｖの最大値Ｖｍａｘ付近がばらつくとき、その都度変動する最大値Ｖｍａｘを用いる演算式で演算することは好ましくない。
【００４５】
そこで実施例によれば、排泄時において臭気濃度に関する臭気センサ４の出力電圧Ｖが最大値Ｖｍａｘを示すとき、臭気レベル表示手段７は、最大値Ｖｍａｘよりも物理量βぶん基準物理量ＡＣ側に寄っている出力電圧ＶＢ（物理量ＡＢ）と、基準物理量ＡＣとの間を均等またはほぼ均等に分割した分割領域であるＲ５〜Ｒ０における臭気濃度の高低のレベルを表示する。なお、物理量βの大きさとしては適宜設定できるが、β＜Ｖｍａｘ、β≒Ｖｘ、β＝Ｖｘ、β＝α、β≒αとすることができる。
【００４６】
また、臭気発生後に脱臭処理を行った場合、脱臭処理に伴い臭気濃度は次第に低下する。この場合、脱臭処理を開始する前の基準物理量ＡＣよりも臭気濃度が低下しないことがある。しかしながら、人の臭覚は時間経過に伴い臭気に次第に慣れる傾向があり、基準物理量ＡＣに近い領域であれば、臭気無しと取り扱っても実害はないことが多い。そこで、脱臭処理を開始する前の基準物理量ＡＣ付近の領域、即ち、脱臭処理を開始する前の基準物理量ＡＣよりも臭気濃度レベルが高い側に物理量αで示される分割領域ＲＯでは、ＬＥＤを点灯させず、臭気濃度レベル表示手段７は臭気濃度レベルを表示しないので、臭気なしとして取り扱われる。従って、物理量αの幅で示される分割領域ＲＯでは、脱臭処理を開始する前の基準物理量ＡＣよりも臭気センサ４の出力電圧Ｖが低下しておらず、臭気が僅かに残留している可能性があると推察されるものの、人の臭覚の慣れ等を考慮し、臭気濃度レベル表示手段７は臭気濃度レベルを表示せず、ＬＥＤは１つも点灯しない。なお物理量αの大きさは適宜設定できるが、α＜Ｖｍａｘ、α＜ＶＢとすることができる。物理量βの大きさは適宜設定できる。
【００４７】
上記したような本実施例によれば、分割領域Ｒ１〜Ｒ４は均等分割されており、分割領域Ｒ１〜Ｒ４のそれぞれの電圧幅Ｖｘは式１に基づいて決定される。前述したように臭気センサ４が検出する出力電圧Ｖの最大値Ｖｍａｘが臭気センサ４毎、検知日、設置場所等に応じてばらつくおそれがある。このため臭気センサ４毎に変動する式１において、物理量βを考慮し、Ｖｍａｘではなく、ＶＢを基準としている。なお、α及びβはメモリ６２のエリアに、固定値として、あるいは、演算で求めた値として予め格納されている。但し、その都度演算しても良い。
【００４８】
【数１】
2006152622.tif 000003
【００４９】
さて、制御装置６のマイコン６１が実行するフローチャートの一例について図６〜図１０を参照して説明する。但し、フローチャートはこれに限定されるものではない。図６に示すように、まず、レジスタ及び脱臭フラグ等を初期設定する（ステップＳ１）。初期設定では脱臭フラグが０とされる。脱臭フラグが０であることは、脱臭処理が行われていないことを意味する。脱臭フラグが１であることは、脱臭処理が行われていることを意味する。次に、内部タイマをスタートさせる（ステップＳ２）。次に、第２設定時間Ｔ２待機する（ステップＳ３）。次に、第２設定時間Ｔ２経過すると、臭気センサ４の出力電圧Ｖが安定するため、臭気センサ４の出力電圧Ｖを読み込む読込処理を行う（ステップＳ４）。次に脱臭フラグが１であるか確認し（ステップＳ５）、脱臭フラグが１であれば、脱臭処理を行う（ステップＳ６）。脱臭フラグが０であれば、基準物理量ＡＣを更新する更新処理を行う（ステップＳ７）。初回では脱臭フラグが０であるため、基準物理量ＡＣを更新する更新処理を行う。
【００５０】
次に、臭気センサ４の回復処理を行う（ステップＳ９）。その他の処理（ステップＳ１０）を行い、タイマ終了か判定し（ステップＳ１１）、タイマ終了であれば、ステップＳ４に戻る。ステップＳ１１はメインルーチンの１ルーチンの時間を規定するためのものである。
【００５１】
図７は読込処理のフローチャートの一例を示す。読込処理のフローチャートはこれに限定されるものではない。図７に示すように、臭気センサ４の出力電圧を読み込む読込時間がきたか否か判定する（ステップＳ４０２）。読込時間がきたならば、臭気センサ４の出力電圧のサンプリングを行い（ステップＳ４０４）、平均値を求め（ステップＳ４０６）、この平均値を臭気センサ４の現在の出力電圧とし（ステップＳ４０８）、メインルーチンにリターンする。
【００５２】
図８は基準物理量更新手段として機能する更新処理のフローチャートの一例を示す。更新処理のフローチャートはこれに限定されるものではない。図８に示すように、メモリ６２のエリアに設定されている基準物理量ＡＣと、臭気センサ４の現在の出力電圧Ｖとを比較する（ステップＳ７０２）。基準物理量ＡＣと臭気センサ４の現在の出力電圧Ｖとの差が小さく、つまり、プラスマイナス０．１ボルト未満であるときには、基準物理量ＡＣを更新しないため、メインルーチンにリターンする。基準物理量ＡＣと臭気センサ４の現在の出力電圧Ｖとの差が大きく、つまり、プラスマイナス０．１ボルト以上であるときには、出力電圧Ｖが増加傾向であるか（ステップＳ７０４）、出力電圧Ｖが減少傾向であるか（ステップＳ７１０）を判定する。出力電圧Ｖが増加傾向であるときには、出力電圧Ｖが安定しているか否か判定する（ステップＳ７０６）。出力電圧Ｖが安定していれば、安定した出力電圧Ｖをメモリ６２のエリアに設定し、基準物理量ＡＣを更新し（ステップＳ７０８）、メインルーチンにリターンする。前述したように出力電圧Ｖが増加傾向であるときには、メモリ６２のエリアに設定されている基準物理量ＡＣに対して、出力電圧Ｖが第５設定時間Ｔ５（例えば１５秒）以上安定するという条件が満たされたとき、安定したと判定される。
【００５３】
また出力電圧Ｖが減少傾向であるときには、出力電圧Ｖが安定しているか否か判定する（ステップＳ７１２）。出力電圧Ｖが安定していれば、安定した出力電圧Ｖをメモリ６２のエリアに設定し、基準物理量ＡＣを更新する（ステップＳ７０８）。前述したように出力電圧Ｖが減少傾向であるときには、メモリ６２のエリアに設定されている基準物理量ＡＣに対して、出力電圧Ｖが第６設定時間Ｔ６（例えば０．５秒）以上安定するという条件が満たされたとき、安定したと判定される。
【００５４】
図９は脱臭処理手段として機能できる脱臭処理のフローチャートの一例を示す。脱臭処理のフローチャートはこれに限定されるものではない。図９に示すように、メモリ６２に設定されている基準物理量ＡＣと、臭気センサ４の現在の出力電圧Ｖとを比較する（ステップＳ６０２）。そして臭気センサ４の現在の出力電圧Ｖが、第１設定時間Ｔ１（例えば１５秒）以内において、メモリ６２に設定されている基準物理量ＡＣに対して第１所定値Ａ１（例えば１．５ボルト）以上、上昇しているとき、制御装置６は臭気有りと判定し、脱臭フラグを１に設定する（ステップＳ６０４）。そして、制御装置６はファン５２の回転数Ｎ１からＮ２（Ｎ２＞Ｎ１）に増加させて（ステップＳ６０６）、脱臭材５０に供給する単位時間当たりの空気量を増加させ、脱臭処理を促進させ、トイレ内または便器１内の臭気を除去する。
【００５５】
上記したように脱臭処理を促進させたときには、臭気が次第に低下するため、臭気センサ４の現在の出力電圧Ｖが次第に低下する。臭気センサ４の現在の出力電圧Ｖを読み込む（ステップＳ６０８）。そして、臭気センサ４の現在の出力電圧Ｖと脱臭処理直前の基準物理量ＡＣとを比較し、脱臭終了であるか否か判定する（ステップＳ６１０）。脱臭終了であれば、ファン５２の回転数をＮ１に戻すと共に脱臭フラグを０に設定し（ステップＳ６１２）、メインルーチンにリターンする。脱臭未終了であれば、臭気濃度表示処理（ステップＳ８）を行い、ステップＳ６０６に戻り、ファン５２の回転数をＮ２に維持する。
【００５６】
これに対して、ステップＳ６０２において、メモリ６２に設定されている基準物理量ＡＣに対して臭気センサ４の出力電圧Ｖが第１設定時間Ｔ１（例えば１５秒）において第１所定値Ａ１（例えば１．５ボルト）以上、上昇しないときには、制御装置６は臭気なしと判定し、ファン５２の回転数をＮ１に戻すと共に脱臭フラグを０に設定し、更に臭気濃度表示用のＬＥＤを消灯させ、メインルーチンにリターンする（ステップＳ６１４）。
【００５７】
ところで臭気センサ４は長い間使用すると、臭気センサ４の出力電圧が変動するおそれがある。殊に、臭気が存在しないときであっても、臭気センサ４の出力電圧が増加すると、臭気が存在するときにおける臭気センサ４の出力電圧値と、臭気が存在しないときにおける臭気センサ４の出力電圧値との差が小さくなるおそれがある。この場合、臭気を検知する際における高い検知精度が得られず、脱臭処理のタイミングがずれるおそれがある。そこで、臭気センサ４を回復させる回復処理を定期的にまたは不定期的に行うことが好ましい。図１０は臭気センサ回復処理のフローチャートを示す。図１０に示すように、脱臭フラグが１であり、脱臭処理が行われているときには、臭気センサ４の回復処理を行わず（ステップＳ９０２）、メインルーチンにリターンする。脱臭フラグが０であり、脱臭処理が行われていないときには、回復時間が到達したか否か判定する（ステップＳ９０４）。回復時間は、臭気センサ４の種類、使用環境等に応じて適宜設定されている。回復時間が到達していなければ、臭気センサ４を回復させる必要性が少ないため、メインルーチンにリターンする。脱臭処理が行われておらず、且つ、回復時間が到達していれば、臭気センサ４の回復を行うため、ファン５２の回転数を強々モードのＮ３（Ｎ３＞Ｎ２＞Ｎ１）に設定し、臭気なしの状態でファン５２を回転数Ｎ３で所定時間回転させる（ステップＳ９０６、Ｓ９０８）。これにより臭気がない清浄な空気が臭気センサ４に多量に供給されるので、臭気センサ４の吸着部分が清浄化され、臭気が存在しない環境下における臭気センサ４の出力電圧を低下させることができる。
【００５８】
図１２は臭気濃度表示処理のフローチャートの一例を示す。臭気濃度表示処理はこの制御則に限定されるものではない。図１２に示すように、臭気センサ４の出力電圧のピークを示す最高値Ｖｍａｘが検出されたかどうか判定する（ステップＳ８０２）。次に、物理量β（図１１参照）を考慮し、最高値Ｖｍａｘからβを引いて電圧値ＶＢ（Ｖｍａｘ−β＝ＶＢ）を求める（ステップＳ８０４）。次に、前記した式（１）に基づいて電圧幅Ｖｘを求める（ステップＳ８０６）。これにより分割領域Ｒ５〜Ｒ０が規定される。そして臭気センサ４の現在の出力電圧を求める（ステップＳ８０８）。分割領域Ｒ５の範囲内か否か判定し（ステップＳ８１０）、分割領域Ｒ５の範囲内であれば、臭気濃度が高いことを示すべく、ＬＥＤを５個点灯させる信号を臭気濃度レベル表示手段７に出力する（臭気濃度強表示，ステップＳ８１２）。また分割領域Ｒ５の範囲内でなければ、分割領域Ｒ４の範囲内か判定し（ステップＳ８１４）、分割領域Ｒ４の範囲内であれば、ＬＥＤを４個点灯させる（臭気濃度中表示，ステップＳ８１６）。また分割領域Ｒ４の範囲内でなければ、分割領域Ｒ３の範囲内か否か判定し（ステップＳ８１８）、分割領域Ｒ３の範囲内であれば、ＬＥＤを３個点灯させる信号を臭気濃度レベル表示手段７に出力する（臭気濃度弱表示，ステップＳ８２０）。
【００５９】
また分割領域Ｒ３の範囲内でなければ、分割領域Ｒ２の範囲内か判定し（ステップＳ８２２）、分割領域Ｒ２の範囲内であれば、ＬＥＤを２個点灯させる信号を臭気濃度レベル表示手段７に出力する（臭気濃度微弱表示，ステップＳ８２４）。また分割領域Ｒ１の範囲内か否か判定し（ステップＳ８２６）、分割領域Ｒ１の範囲内であれば、臭気濃度か薄いことを示すべく、ＬＥＤを１個点灯させる信号を臭気濃度レベル表示手段７に出力する（臭気濃度微小表示，ステップＳ８２８）。また分割領域Ｒ１の範囲内でなければ、分割領域Ｒ０の範囲内か否か判定し（ステップＳ８３０）、分割領域Ｒ０の範囲内であれば、臭気が実質的に存在しないことを示すべく、ＬＥＤを０個点灯させる信号を臭気濃度レベル表示手段７に出力する（ステップＳ８３２）。一定時間経過するまで待機し（ステップＳ８３４）、ステップＳ６０６に戻る。なお、ステップＳ８１２，８１６，８２０，８２４、８２８、８３２は、基準物理量ＡＣを基準としてトイレまたは便器の臭気濃度のレベルを表示させる信号を臭気濃度レベル表示手段７に出力する出力手段として機能することができる。
【実施例２】
【００６０】
図１３は実施例２を示す。実施例２は実施例１と基本的には同一の構成、作用効果を有する。以下、実施例１と異なる部分を中心として説明する。図１３に示すように、最大値Ｖｍａｘよりも物理量βぶん基準物理量ＡＣ側の出力電圧ＶＢ（物理量ＡＢ）と、基準物理量ＡＣとの間を不均等に分割した分割領域Ｒ５〜Ｒ０における臭気濃度のレベルを、臭気レベル表示手段７は表示する。ここで、分割領域Ｒ４,Ｒ３の電圧幅は分割領域Ｒ５,Ｒ２の電圧幅よりも小さく設定されている。従って、臭気センサ４の出力電圧値が分割領域Ｒ４,Ｒ３を降下して通過するとき、短時間に通過するため、ＬＥＤが速く消灯することになり、ユーザーに対して脱臭効果を視認させ易くすることができる。
【実施例３】
【００６１】
図１４は実施例３を示す。実施例３は実施例１と基本的には同一の構成、作用効果を有する。以下、実施例１と異なる部分を中心として説明する。図１４に示すように、分割領域Ｒ３,Ｒ２の電圧幅は分割領域Ｒ５,Ｒ４の電圧幅よりも小さく設定されている。従って、臭気センサ４の電圧値が分割領域Ｒ３,Ｒ２を降下して通過するとき、分割領域Ｒ５,Ｒ４に比較して短時間に通過するため、ＬＥＤが速く消灯することになり、ユーザーに対して脱臭効果を視認させ易くすることができる。
【００６２】
（他の例）上記した実施例において、臭気濃度レベル表示手段７は臭気濃度レベルをＬＥＤにより視覚的に表示しているが、これに限らず、臭気濃度のレベルを聴覚的に表示しても良いし、あるいは、触覚的に表示しても良い。ＬＥＤは５個設けられているが、これに限られるものではなく、３個でも、４個でも、６個でも、７個でも、１０個でも良い。臭気濃度レベル表示手段７はＬＥＤに限らず、他の表示手段でも良い。Ｖｘを求めるにあたり、物理量α及び物理量βを考慮しているが、場合によっては物理量α及び物理量βを考慮せずとも良い。各設定時間及び各所定値は上記した値に限定されるものではなく、適宜設定できるものである。即ち、上記した実施例において、第１設定時間Ｔ１は例えば１５秒とされているが、これに限定されるものではない。第１所定値Ａ１は例えば１．５ボルトとされているが、これに限定されるものではない。また第３所定値Ａ３は例えば０．５ボルトとされているが、これに限定されるものではない。第３設定時間Ｔ３は０．５秒とされているが、これに限定されるものではない。
【００６３】
また上記した実施例によれば、人がトイレに入室すると同時にファン５２を回転させ、臭気が存在すると判定されると、ファン５２の回転数を増速させて脱臭処理を促進させることにしているが、これに限らず、人がトイレに入室したときファン５２は停止しており、臭気が存在すると判定されると、ファン５２を始動させて脱臭処理を開始することにしても良い。上記した実施例によれば、便器１に取り付けられる人体の局部を洗浄する機能を有する人体局部洗浄装置２に適用されているが、これに限らず、局部洗浄機能を有しないものの便座２２を有する便座装置に適用することにしても良い。更に、トイレ室内に設置されるトイレ脱臭装置に適用することにしても良い。更にまた、トイレ室の壁体に組み込むことにしても良い。
【産業上の利用可能性】
【００６４】
本発明は人体局部洗浄装置、便座装置、トイレ脱臭装置、ポータブルトイレ等のトイレ装置に利用することができる。
【図面の簡単な説明】
【００６５】
【図１】人体局部洗浄装置を搭載する便器の斜視図である。
【図２】人体局部洗浄装置に装備されている脱臭手段を示す概念図である。
【図３】制御装置のブロック図である。
【図４】脱臭処理を行うときにおける臭気センサの出力電圧と時間との関係を示すグラフである。
【図５】臭気センサの出力電圧と時間との関係を示すグラフである。
【図６】メインルーチンのフローチャートである。
【図７】読込処理を示すフローチャートである。
【図８】更新処理を示すフローチャートである。
【図９】脱臭処理を示すフローチャートである。
【図１０】臭気センサの回復処理を示すフローチャートである。
【図１１】臭気センサの出力電圧の立ち上がり及び脱臭処理による立ち下がりを示すフローチャートである。
【図１２】臭気濃度表示処理のフローチャートである。
【図１３】実施例２に係り、臭気センサの出力電圧の立ち上がり及び脱臭処理による立ち下がりを示すフローチャートである。
【図１４】実施例３に係り、臭気センサの出力電圧の立ち上がり及び脱臭処理による立ち下がりを示すフローチャートである。
【符号の説明】
【００６６】
図中、１は便器、２は人体局部洗浄装置、２０は基部、２２は便座、２４は便蓋、３０及び３２はノズル、４は臭気センサ（臭気検知手段）、５は脱臭手段、５２はファン（空気搬送装置）、６は制御装置（制御手段）、６１はマイコン、６２はメモリ（基準物理量設定手段）を示す。
【図１】
2006152622.tif 000004
【図２】
2006152622.tif 000005
【図３】
2006152622.tif 000006
【図４】
2006152622.tif 000007
【図５】
2006152622.tif 000008
【図６】
2006152622.tif 000009
【図７】
2006152622.tif 000010
【図８】
2006152622.tif 000011
【図９】
2006152622.tif 000012
【図１０】
2006152622.tif 000013
【図１１】
2006152622.tif 000014
【図１２】
2006152622.tif 000015
【図１３】
2006152622.tif 000016
【図１４】
2006152622.tif 000017